(57)【要約】【課題】モンキーレンチにおいて、可動顎を所要位置に容易にセットでき、ボルトやナットの締緩時に可動顎が動く事なく開口幅が変化しないようにする事。【解決手段】本体１２に開口幅Ｗを示す目盛２２が形成され、ボルトやナットの二面幅に対応する開口幅Ｗになるような状態で、可動顎１３に刻設された一連の溝１４と、付勢手段１７で付勢されたストッパー１５とはラチェット機能を有した係合をしていて、開口幅Ｗを狭める方向には可動顎１３は自在に摺動する事が出来るが、開口幅Ｗを広げる方向には可動顎１３はストッパー１５により係止され固定されるようなラチェット方向性をしており、開口幅Ｗを広げる時には、溝１４と付勢されたストッパー１５との係合を手動で外して、開口幅Ｗを広げる方向に可動顎１３を摺動出来るようにした。【選択図】図１
2019038095.tif 000002
【特許請求の範囲】
【請求項１】
本体と一体の固定顎と前記本体に摺動可能に配設された可動顎とで開口幅部が形成され、該開口幅部でボルトやナットの被挟持物を挟持して、該被挟持物の締緩に用いられるモンキーレンチにおいて、
１列又は複列の一連の溝が刻設された前記可動顎と、前記溝方向に付勢されたストッパーと、該ストッパーを付勢する付勢手段とを備え、
前記可動顎に刻設された前記溝と、付勢された前記ストッパーとはラチェット機能を有した係合をしていて、前記開口幅を狭める方向には前記可動顎は自在に摺動する事が出来るが、前記開口幅を広げる方向には前記可動顎は前記ストッパーにより係止され固定されるようなラチェット方向性をしており、
前記開口幅を広げる時には、前記溝と付勢された前記ストッパーとの係合を手動で外して、前記開口幅を広げる方向に前記可動顎を摺動出来るようにした事を特徴とするモンキーレンチ。
【発明の詳細な説明】
【技術分野】
【０００１】  本発明は、本体と一体の固定顎と、本体に摺動可能な状態で配設された可動顎とで形成される開口幅部で、ボルトやナットの被挟持物を挟持して、該被挟持物の締緩に用いられるモンキーレンチに関するものである。
【背景技術】
【０００２】  モンキーレンチは、本体と一体の固定顎と、固定顎に対して接近及び離間する方向に摺動可能な状態で本体に配設された可動顎とで形成される開口幅部（固定顎と可動顎との間隔部）で、被挟持物のボルト（主に六角ボルト）やナット（主に六角ナット）の二面幅（六角形の対辺の幅）部を挟持して、被挟持物の締緩作業に用いられる。【０００３】  従来のモンキーレンチは、本体に回動自在に配設されたウォームと、可動顎部に刻設されたラックとが噛合しており、ウォームを回動させる事で、可動顎を摺動させて、所要の開口幅になるように可動顎の位置をセットしている。【０００４】  特許文献１では、可動顎に固着された板ばね部の突起部をレンチ本体に形成された嵌合凹部に嵌合させる事で、可動顎を所要位置にセットし同時にずれ防止をする技術が開示される。【０００５】  特許文献２では、開口幅を示す目盛がレンチ本体に刻印され、可動顎部に配設されスプリングで付勢された係止ボールが、レンチ本体に凹設された係止凹部で係止され、可動顎を所要位置にロックしてセットする技術が開示される。
【先行技術文献】
【特許文献】
【０００６】
【特許文献１】特開２０１３−８２０４６
【特許文献２】実開昭６０−１９４４６９
【発明の概要】
【発明が解決しようとする課題】
【０００７】  従来のモンキーレンチでは、可動顎の摺動機構を構成するウォームのセルフロック性が充分ではないので、被挟持物のボルトやナットを締緩する際に締緩力が可動顎に掛かり可動顎を広げようとする力が生じると、可動顎がセットした位置から動いてしまい、開口幅が変わってしまうので、被挟持物のボルトやナットを正常に挟持する事が出来なくなり、締緩作業に支障をきたすという問題が発生する。【０００８】  更に、可動顎の位置決め機構がないので、被挟持物のボルトやナットの二面幅に合わせたり、或いは、開口幅を測定具で測定したりして、可動顎の位置をセットする必要があり操作が面倒であるという問題がある【０００９】  そこで、特許文献１では、可動顎に固着された板ばね部の突起部をレンチ本体に形成された嵌合凹部に嵌合させて、可動顎を所要の位置にセットすると同時に被挟持物のボルトやナットの締緩時に可動顎が動いてしまう事を防ごうとしている。【００１０】  ここで、板ばねが強くない時には可動顎は容易に摺動でき、開口幅のセットも容易にできるが、しかし、被挟持物のボルトやナットの締緩時に可動顎がセットした位置から動かないようにする為には、板ばねの強さを強くする必要があり可動顎を摺動させる操作がしにくくなるという問題がある。【００１１】  また、特許文献２では、スプリングに拠り付勢された係止ボールをレンチ本体に凹設された凹部で係止させて、可動顎を所要の目盛位置でロックしセットすると同時に、被挟持物のボルトやナットの締緩時に可動顎が動いてしまう事を防ごうとしている。【００１２】  ここで、スプリングの付勢力が強くない時には可動顎は容易に摺動でき、開口幅のセットも容易であるが、被挟持物のボルトやナットの締緩時に可動顎がセットした位置から動かないようにする為には、スプリングの係止ボールへの付勢力を強くする必要があり、可動顎の操作がしにくくなるという特許文献２と同様な問題がある。【００１３】  本発明は、モンキーレンチの上記問題に鑑み、可動顎を所要の位置に容易にセットでき、且つ、被挟持物のボルトやナットの締緩時に、締緩力により可動顎を広げようとする力が掛かっても、可動顎が動く事なくセットした開口幅が変化しないモンキーレンチに関するものである。
【課題を解決するための手段】
【００１４】  前記課題を解決する本発明のモンキーレンチは、本体と一体の固定顎と前記本体に摺動可能に配設された可動顎とで開口幅部が形成され、該開口幅部でボルトやナットの被挟持物を挟持して、該被挟持物の締緩に用いられるモンキーレンチにおいて、１列又は複列の一連の溝が刻設された前記可動顎と、前記溝方向に付勢されたストッパーと、該ストッパーを付勢する付勢手段とを備え、前記可動顎に刻設された前記溝と、付勢された前記ストッパーとはラチェット機能を有した係合をしていて、前記開口幅を狭める方向には前記可動顎は自在に摺動する事が出来るが、前記開口幅を広げる方向には前記可動顎は前記ストッパーにより係止され固定されるようなラチェット方向性をしており、前記開口幅を広げる時には、前記溝と付勢された前記ストッパーとの係合を手動で外して、前記開口幅を広げる方向に前記可動顎を摺動出来るようにした事を特徴とするものである。
【発明の効果】
【００１５】  上述のように構成されたモンキーレンチでは、可動顎を所要の位置に容易にセットする事ができ、且つ、被挟持物のボルトやナットの締緩時に、締緩力により可動顎を広げようとする力が可動顎に掛かっても、可動顎は開口幅が広がる方向には動く事が出来ないので、セットした開口幅が変化する事が無い。
【図面の簡単な説明】
【００１６】
【図１】本発明の第１の実施の形態に係るモンキーレンチの要部を断面して示した正面図である。
【図２】図１のＡ−Ａ断面図である。
【図３】本発明の第１の実施の形態に係るモンキーレンチの溝とストッパーとの係合を外した状態の要部を断面して示した正面図である。
【図４】本発明の第１の実施の形態に係るモンキーレンチの本体外面に目盛を刻印した状態を示した正面図である。
【図５】本発明の第２の実施の形態に係るモンキーレンチの要部を断面して示した正面図である。
【図６】本発明の第３の実施の形態に係るモンキーレンチの要部を断面して示した部分的な正面図である。
【図７】図７のＢ−Ｂ断面図である。
【発明を実施するための形態】
【００１７】  本発明によるモンキーレンチの実施形態を、添付の図面を参照してこれを説明する。
【００１８】  図１から図４は、本発明の第１の実施の形態を示し、図１はモンキーレンチの要部を断面して示した正面図であり、図２は図１のＡ−Ａ断面図であり、図３はモンキーレンチの溝とストッパーとの係合を外した状態の要部を断面して示した正面図であり、図４はモンキーレンチの本体外面に目盛を刻印した状態を示した正面図である。
【００１９】  図１乃至図４に示すように、モンキーレンチ１０は本体１２と、該本体１２と一体の固定顎１１と、本体１２に摺動可能な状態に配設された可動顎１３と、可動顎１３の根元部に刻設される一連の溝１４と、付勢手段１７により付勢されるストッパー１５と、本体１２外面に目盛２２とを備えている。
【００２０】  本体１２の根元側は被挟持物のボルトやナットの締緩作業の際に作業者が握るグリップ１９で、本体１２の先端部には固定顎１１が形成されており、更に、本体１２にはスリット２１と連通する摺動孔２０が凹設されていて、該摺動孔２０には可動顎１３の根元部が摺動可能状態で挿入されており、固定顎１１と可動顎１３とで開口幅Ｗを形成している。
【００２１】  可動顎１３の根元部に刻設されている溝１４の形状は、可動顎１３の根元部の底面Ｘに対してＹ側が略直角面にＺ側が斜面の逆レ字状になっている。
【００２２】  支点１６を中心に回動可能状態で本体１２に取り付けられているストッパー１５は、固定端１８で固定されている板ばね状の付勢手段１７で溝１４方向に付勢されている。
【００２３】  前記のように構成される、可動顎１３に刻設される溝１４とストッパー１５とはラチェット機能を有する係合状態となっている。
【００２４】  可動顎１３は開口幅Ｗを狭める方向には自在に摺動する事が出来るが、しかしながら、開口幅Ｗを広げる方向には、溝１４と係合しているストッパー１５は本体１２の壁面Ｄ及びＥに当接して回動が固定され、固定されたストッパー１５に拠り可動顎１３は係止され所要位置にセットされる。
【００２５】  前述のように、ストッパー１５が壁面ＤおよびＥに当接して回動が固定され可動顎１３を係止し所要位置にセットしているので、開口幅Ｗを広げる方向に可動顎１３に力が掛かっても付勢手段１７を押し戻す力は発生しない。
【００２６】  このように、付勢手段１７の付勢力で可動顎１３を係止しているのではないので、付勢手段１７の付勢力の強さに関わらず、ストッパー１５に係止され所要位置にセットされている可動顎１３は開口幅Ｗを広げる方向へは動く事が無い。
【００２７】  従って、被挟持物のボルトやナットの締緩時に、可動顎１３を広げようとする力が掛かっても、可動顎１３はセットされた所要位置から動く事は無いので開口幅Ｗが変化する事は無い。
【００２８】  前述のように、付勢手段１７の付勢力で可動顎１３の係止をしているのではないので、付勢手段１７の付勢力は小さなもので良く、従って、開口幅Ｗを狭める方向には可動顎１３は小さな力で容易に摺動させることが出来る。
【００２９】  図３に示すように、係止状態の可動顎１３を広げる方向に摺動させる時は、付勢手段１７を押し返すように力Ｆを掛けて、ストッパー１５と溝１４との係合を外せば、可動顎１３は開口幅Ｗを広げる方向に容易に摺動する事が出来る。
【００３０】  付勢手段１７の付勢力は小さくて良いので、ストッパー１５を押す力Ｆも小さな力で良く可動顎１３を広げる操作が容易である。
【００３１】  前記可動顎１３の係止位置がボルトやナットの二面幅の規格に対応した開口幅Ｗになるように、可動顎１３の一連の溝１４は刻設されている。
【００３２】  図４に示すように本体１２の外面に刻印されている目盛２２は開口幅Ｗに対応するようになっている。
目盛２２はボルトやナットの二面幅そのものの数字で表示しても良いし、ボルトやナットのサイズで表示しても良いし両方を併記しても良い。
【００３３】  ストッパー１５の先端が所要の溝１４の口元幅Ｌの範囲にあれば、可動顎１３は該溝１４の位置で自動的に係止されるので、可動顎１３の位置決め時に、可動顎１３を正確な位置にもっていく必要が無く、可動顎１３の位置決め操作が容易である。
【００３４】  従って、開口幅Ｗに対応して刻印されている目盛２２と相まって、被挟持物のボルトやナットの二面幅に応じた所要の開口幅Ｗに可動顎１３をセットする事が容易に出来る。
【００３５】  図５は本発明の第２の実施の形態を示し、図５は本発明の実施の形態に係るモンキーレンチの要部を断面して示した正面図である。
【００３６】  図５に示すように、モンキーレンチ３０は本体Ｂ３２と、該本体Ｂ３２と一体の固定顎Ｂ３１と、本体Ｂ３２に摺動可能な状態に配設された可動顎Ｂ３３と、可動顎Ｂ３３の根元部に刻設される一連の溝Ｂ３４と、付勢手段Ｂ３７により付勢されるストッパーＢ３５と、本体Ｂ３２外面に目盛（図示せず）とを備えている。
【００３７】  可動顎Ｂ３３に刻設される溝Ｂ３４方向（図中上下方向）に摺動するように配設されているストッパーＢ３５は、付勢手段Ｂ３７で可動顎Ｂ３３に刻設された溝Ｂ３４方向へ付勢され該溝Ｂ３４と係合している。
【００３８】  第２の実施形態のストッパーＢ３５と一連の溝Ｂ３４とは第１の実施の形態と同様なラチェット機能を有する係合状態となっている。
【００３９】  開口幅Ｗを狭める方向には可動顎Ｂ３３は容易に摺動させることが出来る、しかしながら、開口幅Ｗを広げる方向では、溝Ｂ３４と係合しているストッパーＢ３５は本体Ｂ３２の壁面Ｇに当接し図中水平左方向の動きが固定され可動顎Ｂ３３を係止する。
【００４０】  可動顎Ｂ３３を広げる方向に摺動させる時は、コイルばね状の付勢手段Ｂ３７を押し返すように力Ｔを掛けて、ストッパーＢ３５と溝Ｂ３４の係合を外すことで、可動顎Ｂ３３は簡単に開口幅Ｗを広げる方向に摺動する事が出来る。
その他の、操作や動作等の機能は第１の実施の形態と同様である。
【００４１】  図６及び図７は本発明の第３の実施の形態を示し、図６はモンキーレンチの要部を断面して示した部分的な正面図であり、図７は図６のＢ−Ｂ断面図である。
【００４２】  図６及び図７に示すように、可動顎Ｃ４３には２列の一連の溝Ｃ４４Ｃと溝Ｄ４４Ｄが刻設されていて、付勢手段Ｃ４７Ｃで付勢されているストッパーＣ４５Ｃ、又は、付勢手段Ｄ４７Ｄで付勢されているストッパーＤ４５Ｄの何れかで可動顎Ｃ４３を係止している。
【００４３】  ボルトやナットの二面幅のＪＩＳ規格は５．５ｍｍ（Ｍ３）、７ｍｍ（Ｍ４）、８ｍｍ（Ｍ５）、１０ｍｍ（Ｍ６）、１３ｍｍ（Ｍ８）、１７ｍｍ（Ｍ１０）のようになっている。
【００４４】  第１の実施の形態で示されているような、一連の溝１４を１列で上記の各二面幅に対応した配置にすると、溝１４同士の間隔が狭いので、ストッパー１５が係合する溝１４の山部（突起部）Ｈの肉厚は薄く弱いものとなる事がある。
【００４５】  そこで、例えば、第１列溝Ｃ４４Ｃの開口幅Ｗは５．５ｍｍ、８ｍｍ、１３ｍｍに、第２列溝Ｄ４４Ｄの開口幅Ｗは７ｍｍ、１０ｍｍ、１７ｍｍの２列にする事で、溝Ｃ４４Ｃの溝同士の間隔、溝Ｄ４４Ｄの溝同士の間隔を広くすることが出来、溝Ｃ４４Ｃと溝Ｄ４４Ｄの山部Ｋの肉厚は厚くなりを強いものとする事が出来る。
もちろん、列数は最大が２列とは限らずもっと多くても良い。
【００４６】  尚、溝１４は逆レ字状の形状でなくても良く、例えば、矩形や台形でも構わない。
又、付勢手段１７の材質はばね鋼を例示できるが、特にこれに限定されるものではなく、ゴムや磁石でも構わず、更に、付勢力は０．１〜１０Ｎが例示できるがこれに限定されるものではない。
【００４７】  以上、本発明の実施の形態を説明したが、上記に記載した実施の形態は特許請求の範囲に掛かる発明を限定するものではない。また、実施の中で説明した特徴の全てが発明の課題を解決するための手段に必須であるとは限らない点に留意すべきである。
【符号の説明】
【００４８】  １０  モンキーレンチ
１１  固定顎
１２  本体
１３  可動顎
１４  溝
１５  ストッパー
１６  支点
１７  付勢手段
１８  固定端
１９  グリップ
２０  摺動孔
２１  スリット
２２  目盛
３０  モンキーレンチＢ
３１  固定顎Ｂ
３２  本体Ｂ
３３  可動顎Ｂ
３４  溝Ｂ
３５  ストッパーＢ
３７  付勢手段Ｂ
４０  モンキーレンチＣ
４３  可動顎Ｃ
４４Ｃ  溝Ｃ
４４Ｄ  溝Ｄ
４５Ｃ  ストッパーＣ
４５Ｄ  ストッパーＤ
４７Ｃ  付勢手段Ｃ
４７Ｄ  付勢手段Ｄ
【図１】
2019038095.tif 000003
【図２】
2019038095.tif 000004
【図３】
2019038095.tif 000005
【図４】
2019038095.tif 000006
【図５】
2019038095.tif 000007
【図６】
2019038095.tif 000008
【図７】
2019038095.tif 000009